(57)【要約】【課題】フィルタを介して光ピックアップ装置に空気を導入して対物レンズ付近から逃がす技術において、フィルタの目詰まりを軽減する。【解決手段】光ピックアップ装置において、フォーカスコイルまたはトラッキングコイルを制御することで、レンズホルダ６３の一部６３ａをフィルタ７５に複数回当てる。その後、当接部６３ａを所定時間フィルタ７５に押し当てる。【選択図】図１０
2009199697.tif 000002
【特許請求の範囲】
【請求項１】
光ディスク（４）に対して読み出しまたは書き込みのアクセスを行う光ディスクドライブ装置であって、
前記光ディスク（４）の記録面にアクセスする光ピックアップ装置（６）と、
前記光ピックアップ装置を制御する制御装置（１２）と、を備え、
前記光ピックアップ装置（６）は、
対物レンズ（６４）と、
前記対物レンズ（６４）を収容すると共に前記対物レンズ（６４）の位置に開口部（６２）を有するケーシング（６１、６８、６９）と、
前記ケーシング（６１、６８、６９）の外部から内部に空気を導入すると共に、導入する空気中の塵埃を捕らえるフィルタ（７５）と、
前記ケーシング（６１、６８、６９）の内部に収容されると共に前記対物レンズ（６４）を支持するレンズホルダ（６３）と、
前記制御装置（１２）の制御に基づいて、前記レンズホルダ（６３）を前記ケーシング（６１、６８、６９）に対して移動させることで、光ディスク（４）に対する前記対物レンズ（６４）の位置を変化させ、その位置変化により、前記光ディスク（４）に対する前記対物レンズ（６４）のディスクアクセス位置調整駆動を実現するための駆動機構（７２、７３、８１、８２）と、を有し、
前記ケーシング（６１、６８、６９）は、前記フィルタ（７５）を介して前記ケーシング（６１、６８、６９）の内部に流入した空気を前記開口部（６２）から排出する構造を有しており、
前記フィルタ（７５）は、前記レンズホルダ（６３）から見て、前記ディスクアクセス位置調整駆動によって前記レンズホルダ（６３）が移動する方向の延長線上に配置され、
前記制御装置（１２）は、前記ディスクアクセス位置調整駆動以外の駆動として、叩き駆動を前記駆動機構（７２、７３、８１、８２）に実行させ、
前記叩き駆動において前記駆動機構（７２、７３、８１、８２）は、前記ディスクアクセス位置調整駆動の方向に、前記ディスクアクセス位置調整駆動の距離よりも長い距離で、前記レンズホルダ（６３）を移動させることで、前記レンズホルダ（６３）の一部（６３ａ、６３ｂ）を前記フィルタ（７５）に繰り返し当てることを特徴とする光ディスクドライブ装置。
【請求項２】
前記制御装置（１２）は、前記駆動機構（７２、７３、８１、８２）に対し、前記叩き駆動の後に押し当て駆動を実行させ、
前記押し当て駆動において前記駆動機構（７２、７３、８１、８２）は、前記レンズホルダ（６３）の前記一部（６３ａ、６３ｂ）を前記フィルタ（７５）に基準時間だけ押し当て続けることを特徴とする請求項１に記載の光ディスクドライブ装置。
【請求項３】
空気流を発生させる送風装置（９）と、
前記送風装置（９）が発生した空気流を通すためのダクト（１０）と、
前記ダクト（１０）を通る空気流を前記光ピックアップ装置（６）の前記フィルタ（７５）に流すための通路を形成する空気流取込部（１１）と、を備え、
前記空気流取込部（１１）の底面は、前記フィルタ（７５）から前記ダクト（１０）に向けて下がるスロープ形状を有していることを特徴とする請求項２に記載の光ディスクドライブ装置。
【請求項４】
前記ダクト（１０）は上方向に開口した溝形状を有し、
前記空気流取込部（１１）のうち、前記ダクト（１０）に接続する部分は、前記ダクト（１０）の溝内に嵌まっており、
前記ダクト（１０）の底面と前記空気流取込部（１１）のスロープ形状の下端部分との間には、隙間が設けられていることを特徴とする請求項３に記載の光ディスクドライブ装置。
【請求項５】
空気流を発生させる送風装置（９）と、
前記送風装置（９）が発生した空気流を通すためのダクト（１０）と、
前記ダクト（１０）を通る空気流を前記光ピックアップ装置（６）の前記フィルタ（７５）に流すための通路を形成する空気流取込部（１１）と、を備え、
前記空気流取込部（１１）のうち、前記フィルタ（７５）の近傍の部分が下方向に開口していることを特徴とする請求項１または２に記載の光ディスクドライブ装置。
【請求項６】
光ディスク（４）に対して読み出しまたは書き込みのアクセスを行う光ディスクドライブ装置であって、
前記光ディスク（４）を載せて回転するターンテーブル（２）と、
前記ターンテーブル（２）を回転させるモータ（３）と、
前記光ディスク（４）の記録面にアクセスする光ピックアップ装置（６）と、
空気流を発生させる送風装置（９）と、
前記送風装置（９）が発生した空気流を前記光ピックアップ装置（６）まで送るための通路を形成する通路形成部材（１０、１１）と、を備え、
前記光ピックアップ装置（６）は、
対物レンズ（６４）と、
前記対物レンズ（６４）を収容すると共に前記対物レンズ（６４）の位置に開口部（６２）を有するケーシング（６１、６８、６９）と、
前記通路形成部材（１０、１１）から送られた空気を前記ケーシング（６１、６８、６９）の内部に導入すると共に、導入する空気中の塵埃を捕らえるフィルタ（７５）と、を有し、
前記ケーシング（６１、６８、６９）は、前記フィルタ（７５）を介して前記ケーシング（６１、６８、６９）の内部に流入した空気を前記開口部（６２）から排出する構造を有しており、
前記送風装置（９）は、前記モータ（３）によって回転するフィン（９２）を備え、前記フィン（９２）の回転によって空気流を発生することを特徴とする光ディスクドライブ装置。
【請求項７】
対物レンズ（６４）と、
前記対物レンズ（６４）を収容すると共に前記対物レンズ（６４）の位置に開口部（６２）を有するケーシング（６１、６８、６９）と、
前記ケーシング（６１、６８、６９）の外部から内部に空気を導入すると共に、導入する空気中の塵埃を捕らえるフィルタ（７５）と、
前記ケーシング（６１、６８、６９）の内部に収容されると共に前記対物レンズ（６４）を支持するレンズホルダ（６３）と、を備え、
前記フィルタ（７５）を介して前記ケーシング（６１、６８、６９）の内部に導入された空気を前記開口部（６２）から排出する光ピックアップ装置であって、
前記ケーシング（６１、６８、６９）は、前記開口部（６２）および前記フィルタ（７５）のみが、前記ケーシング（６１、６８、６９）の外部と連通していることを特徴とする光ピックアップ装置。
【請求項８】
光ディスク（４）に対して読み出しまたは書き込みのアクセスを行う光ディスクドライブ装置であって、
前記光ディスク（４）の記録面にアクセスする光ピックアップ装置（６）と、
前記光ピックアップ装置（６）を前記光ディスク（４）の径方向に移動させる移動手段（７、８）と、
空気流を発生させる送風装置（９）と、
前記送風装置（９）が発生した空気流を通すためのダクト（１０）と、
前記ダクト（１０）を通る空気流を前記光ピックアップ装置（６）の前記フィルタ（７５）に流すための通路を形成する空気流取込部（１１）と、を備え、
前記ダクト（１０）は、前記光ピックアップ装置（６）の移動方向に沿って伸びていると共に溝形状を有し、
前記空気流取込部（１１）は、前記光ピックアップ装置（６）と共に移動し、
前記空気流取込部（１１）のうち、前記ダクト（１０）に接続する部分は、前記ダクト（１０）の溝内に嵌まっており、また、前記光ピックアップ装置（６）の移動と共に、前記ダクト（１０）の溝内を移動することを特徴とする光ディスクドライブ装置。
【請求項９】
対物レンズ（６４）と、
前記対物レンズ（６４）を収容すると共に前記対物レンズ（６４）の位置に開口部（６２）を有するケーシング（６１、６８、６９）と、
前記ケーシング（６１、６８、６９）の外部から内部に空気を導入すると共に、導入する空気中の塵埃を捕らえるフィルタ（７５）と、
前記ケーシング（６１、６８、６９）の内部に収容されると共に前記対物レンズ（６４）を支持するレンズホルダ（６３）と、
前記レンズホルダ（６３）を前記ケーシング（６１、６８、６９）に対して移動させることで、光ディスク（４）に対する前記対物レンズ（６４）の位置を変化させ、その位置変化により、前記光ディスク（４）に対する前記対物レンズ（６４）のディスクアクセス位置調整駆動を実現するための駆動機構（７２、７３、８１、８２）と、を備え、
前記フィルタ（７５）を介して前記ケーシング（６１、６８、６９）の内部に導入された空気を前記開口部（６２）から排出する光ピックアップ装置であって、
前記フィルタ（７５）は、前記レンズホルダ（６３）から見て、前記ディスクアクセス位置調整駆動によって前記レンズホルダ（６３）が移動する方向の延長線上に配置され、
前記駆動機構（７２、７３、８１、８２）は、前記ディスクアクセス位置調整駆動以外の駆動として、前記ディスクアクセス位置調整駆動の方向に、前記ディスクアクセス位置調整駆動の距離よりも長い距離で、前記レンズホルダ（６３）を移動させることで、前記レンズホルダ（６３）の一部（６３ａ、６３ｂ）を前記フィルタ（７５）に繰り返し当てる叩き駆動を実行することを特徴とする光ピックアップ装置。
【発明の詳細な説明】
【技術分野】
【０００１】
本発明は、光ディスクドライブ装置および光ピックアップ装置に関するものである。
【背景技術】
【０００２】
従来、光ディスクに対して読み出しまたは書き込みのアクセスを行う光ディスクドライブ装置の分野において、光ピックアップ装置の内部に清浄な空気流を積極的に導入することにより、内部の光学部品への塵埃の付着を低減し、長期使用における信頼性の向上を図る技術が複数知られている。
【０００３】
例えば、特許文献１、２には、送風装置からの空気流をフィルタを通して光ピックアップ装置内に導入し、導入した空気流を光ピックアップ装置中の対物レンズ付近から上方に逃がす技術が記載されている。
【特許文献１】特開平５−２９８７３４号公報
【特許文献２】特開平６−２７４９１７号公報
【発明の開示】
【発明が解決しようとする課題】
【０００４】
しかし、特許文献１、２の様な方法を用いると、フィルタの目詰まりが徐々に増大してゆき、最終的には空気流を導入できなくなってしまう。本発明は上記点に鑑み、フィルタを介して光ピックアップ装置に空気を導入して対物レンズ付近から逃がす技術において、フィルタの目詰まりを軽減することを第１の目的とする。
【０００５】
また、特許文献２では、ディスクの回転によって発生する空気流を光ピックアップ装置内に導入するようになっているが、そのような空気流の勢いは、光ピックアップ装置内の清浄化のためには不十分な場合がある。一方、特許文献１では、導入する空気流を生成するために専用のファンを設けているが、そのファンのために別途動力源が必要となるので、その分、光ディスクドライブ装置の構成が複雑になってしまう。
【０００６】
本発明は上記点に鑑み、フィルタを介して光ピックアップ装置に空気を導入して対物レンズ付近から逃がす技術において、導入する空気流の勢いを充分に確保しつつ、光ディスクドライブ装置の構成を簡易にすることを第２の目的とする。
【０００７】
また、本発明は、フィルタを介して光ピックアップ装置に空気を導入して対物レンズ付近から逃がす技術において、光ピックアップ装置内に流入した空気を効率的に対物レンズ付近から逃がすための技術を提供することを第３の目的とする。
【０００８】
また、特許文献１、２においては、光ピックアップ装置は光ディスクの径方向に移動するようになっているが、空気流を発生する部分（すなわち、ディスクおよびファン）は移動しない。したがって、光ピックアップ装置の配置によっては、発生した空気流が光ピックアップ装置に届く前に減衰してしまう可能性がある。
【０００９】
本発明は上記点に鑑み、フィルタを介して光ピックアップ装置に空気を導入して対物レンズ付近から逃がす技術において、空気流を発生する部分が移動せず、光ピックアップ装置が移動する場合でも、空気流が光ピックアップ装置に確実に届くようにすることを第４の目的とする。
【００１０】
本発明は上記点に鑑み、することを目的とする。
【課題を解決するための手段】
【００１１】
上記第１の目的を達成するための請求項１に記載の発明は、光ディスク（４）に対して読み出しまたは書き込みのアクセスを行う光ディスクドライブ装置についてのものである。この光ディスクドライブ装置は、光ディスク（４）の記録面にアクセスする光ピックアップ装置（６）と、光ピックアップ装置を制御する制御装置（１２）と、を備えている。
【００１２】
この光ピックアップ装置（６）は、対物レンズ（６４）を有し、また、対物レンズ（６４）を収容すると共に対物レンズ（６４）の位置に開口部（６２）を有するケーシング（６１、６８、６９）を有している。
【００１３】
更に光ピックアップ装置（６）は、ケーシング（６１、６８、６９）の外部から内部に空気を導入すると共に、導入する空気中の塵埃を捕らえるフィルタ（７５）を有し、また、ケーシング（６１、６８、６９）の内部に収容されると共に対物レンズ（６４）を支持するレンズホルダ（６３）を有している。
【００１４】
更に光ピックアップ装置（６）は、駆動機構（７２、７３、８１、８２）を有している。駆動機構（７２、７３、８１、８２）は、制御装置（１２）の制御に基づいて、レンズホルダ（６３）をケーシング（６１、６８、６９）に対して移動させることで、光ディスク（４）に対する対物レンズ（６４）の位置を変化させ、その位置変化により、光ディスク（４）に対する対物レンズ（６４）のディスクアクセス位置調整駆動（例えば、トラッキング駆動、フォーカス駆動）を実現する。
【００１５】
そして、ケーシング（６１、６８、６９）は、フィルタ（７５）を介してケーシング（６１、６８、６９）の内部に流入した空気を開口部（６２）から排出する構造を有している。このように、空気流をフィルタ（７５）を介して光ピックアップ装置（６）に導入して対物レンズ（６４）付近から空気流を逃がすことで、光ピックアップ装置（６）の内部にある光学部品への塵埃の付着を防止すると共に、対物レンズ（６４）付近に対物レンズ（６４）の付着物を剥離するような気流を発生させることで、対物レンズ上にも塵埃が溜まってしまう可能性を低減することができる。
【００１６】
また、フィルタ（７５）は、レンズホルダ（６３）から見て、ディスクアクセス位置調整駆動によってレンズホルダ（６３）が移動する方向の延長線上に配置される。そして制御装置（１２）は、ディスクアクセス位置調整駆動以外の駆動として、叩き駆動を駆動機構（７２、７３、８１、８２）に実行させる。叩き駆動において前記駆動機構（７２、７３、８１、８２）は、ディスクアクセス位置調整駆動の方向に、ディスクアクセス位置調整駆動の距離よりも長い距離で、レンズホルダ（６３）を移動させることで、レンズホルダ（６３）の一部（６３ａ、６３ｂ）を前記フィルタ（７５）に繰り返し当てる。
【００１７】
このように、フィルタ（７５）にレンズホルダ（６３）の一部が繰り返し当たることで、フィルタ（７５）に付着した砂塵や異物などが払い落とされる。その結果、フィルタ（７５）の目詰まりの可能性が低減する。
【００１８】
また、請求項２に記載のように、制御装置（１２）は、駆動機構（７２、７３、８１、８２）に対し、叩き駆動の後に押し当て駆動を実行させ、押し当て駆動において駆動機構（７２、７３、８１、８２）は、レンズホルダ（６３）の当該一部（すなわち、叩き駆動時にフィルタ（７５）に当てた部分）をフィルタ（７５）に基準時間だけ押し当て続けるようになっていてもよい。
【００１９】
このようにすることで、ケーシング（６１、６８、６９）内に向かう空気流が遮断され、叩き駆動により払い落とされた砂塵や異物が空気流に押されて再びフィルタ（７５）に付着してしまうのを回避することができる。
【００２０】
またこの場合、請求項３に記載のように、光ディスクドライブ装置は、空気流を発生させる送風装置（９）と、送風装置（９）が発生した空気流を通すためのダクト（１０）と、ダクト（１０）を通る空気流を光ピックアップ装置（６）のフィルタ（７５）に流すための通路を形成する空気流取込部（１１）と、を備えていてもよい。
【００２１】
この場合、空気流取込部（１１）の底面は、フィルタ（７５）からダクト（１０）に向けて下がるスロープ形状を有していてもよい。このように、空気流取込部（１１）の形状が砂塵の受け皿にならないような形状となっていることで、叩き駆動により払い落とされた砂塵や異物がスロープに沿って空気流取込部（１１）の外に落ちるので、叩き落された砂塵が再びフィルタ（７５）に付着しないという効果が増す。
【００２２】
またこの場合、請求項４に記載のように、ダクト（１０）は上方向に開口した溝形状を有し、空気流取込部（１１）のうち、ダクト（１０）に接続する部分は、ダクト（１０）の溝内に嵌まっており、ダクト（１０）の底面と空気流取込部（１１）のスロープ形状の下端部分との間には、隙間が設けられていてもよい。
【００２３】
このようになっていることで、空気流取込部（１１）からケーシング（６１、６８、６９）内に向かう空気流を遮断し、空気流が空気流取込部（１１）とダクト（１０）の隙間から逃げていくことによって、叩き落されてスロープから下に落ちた砂塵も当該隙間から逃げていく。したがって、フィルタ（７５）から叩き落された砂塵が再びフィルタ（７５）に付着しないという効果が更に増す。
【００２４】
あるいは、請求項５に記載のおうに、光ディスクドライブ装置は、空気流取込部（１１）のうち、フィルタ（７５）の近傍の部分が下方向に開口しているようになっていてもよい。このように、空気流取込部（１１）の形状が砂塵の受け皿にならないような形状となっていることで、叩き駆動により払い落とされた砂塵や異物が開口部を通って空気流取込部（１１）の下に落ちるので、叩き落された砂塵が再びフィルタ（７５）に付着しないという効果が増す。
【００２５】
また、上記第２の目的を達成するための請求項６に記載の発明も、光ディスク（４）に対して読み出しまたは書き込みのアクセスを行う光ディスクドライブ装置についてのものである。この光ディスクドライブ装置は、光ディスク（４）を載せて回転するターンテーブル（２）と、ターンテーブル（２）を回転させるモータ（３）と、光ディスク（４）の記録面にアクセスする光ピックアップ装置（６）と、空気流を発生させる送風装置（９）と、送風装置（９）が発生した空気流を光ピックアップ装置（６）まで送るための通路を形成する通路形成部材（１０、１１）と、を備えている。
【００２６】
また、光ピックアップ装置（６）は、対物レンズ（６４）を有し、また、対物レンズ（６４）を収容すると共に前記対物レンズ（６４）の位置に開口部（６２）を有するケーシング（６１、６８、６９）を有し、更に、通路形成部材（１０、１１）から送られた空気をケーシング（６１、６８、６９）の内部に導入すると共に、導入する空気中の塵埃を捕らえるフィルタ（７５）を有している。そして、ケーシング（６１、６８、６９）は、フィルタ（７５）を介してケーシング（６１、６８、６９）の内部に流入した空気を開口部（６２）から排出する構造を有している。
【００２７】
また送風装置（９）は、上記モータ（３）によって回転するフィン（９２）を備え、フィン（９２）の回転によって空気流を発生するようになっている。このように、フィン（９２）という、送風専用の部材の回転力で空気流を発生することで、導入する空気流の勢いを充分に確保することができる。しかも、ターンテーブル（２）を回転させるためのモータ（３）を動力源としてフィン（９２）を回転させるので、フィン（９２）専用のモータが不要となり、その分、光ディスクドライブ装置の構成を簡易にすることができる。
【００２８】
また、ターンテーブル（２）を回転させるときが、光ピックアップ装置（６）に塵埃のたまりやすいときである。上記構成によれば、ターンテーブル（２）の回転中に光ピックアップ装置（６）内に清浄な空気流が流れ込み、ターンテーブル（２）の停止中には空気の流入が停止する。したがって、防塵が必要なときに限定して送風を行うという、効率的な作動が実現し、光ピックアップ装置６内を清浄化するための作動モードを別途設ける必要がなくなる。
【００２９】
また、上記第３の目的を達成するための請求項７に記載の発明は、光ピックアップ装置についてのものである。この光ピックアップ装置は、対物レンズ（６４）と、対物レンズ（６４）を収容すると共に前記対物レンズ（６４）の位置に開口部（６２）を有するケーシング（６１、６８、６９）と、ケーシング（６１、６８、６９）の外部から内部に空気を導入すると共に、導入する空気中の塵埃を捕らえるフィルタ（７５）と、ケーシング（６１、６８、６９）の内部に収容されると共に対物レンズ（６４）を支持するレンズホルダ（６３）と、を備えたものであって、フィルタ（７５）を介してケーシング（６１、６８、６９）の内部に導入された空気を開口部（６２）から排出するようになっている。そしてこの光ピックアップ装置の記ケーシング（６１、６８、６９）は、開口部（６２）およびフィルタ（７５）のみが、ケーシング（６１、６８、６９）の外部と連通している。
【００３０】
このように、ケーシング（６１、６８、６９）は、開口部（６２）およびフィルタ（７５）を除いて密閉構造となっているので、フィルタ（７５）から空気が流入すると、ケーシング（６１、６８、６９）内で気圧が高くなり、開口部（６２）のみから空気が流出する。したがって、光ピックアップ装置内に流入した空気を効率的に対物レンズ（６４）付近から逃がすことができ、それによって対物レンズ（６４）に塵埃がたまり難くなる。
【００３１】
また、上記第４の目的を達成するための請求項８に記載の発明は、光ディスク（４）に対して読み出しまたは書き込みのアクセスを行う光ディスクドライブ装置についてのものである。この光ディスクドライブ装置は、光ディスク（４）の記録面にアクセスする光ピックアップ装置（６）と、光ピックアップ装置（６）を光ディスク（４）の径方向に移動させる移動手段（７、８）と、空気流を発生させる送風装置（９）と、送風装置（９）が発生した空気流を通すためのダクト（１０）と、ダクト（１０）を通る空気流を光ピックアップ装置（６）のフィルタ（７５）に流すための通路を形成する空気流取込部（１１）と、を備えている。
【００３２】
そして、ダクト（１０）は、光ピックアップ装置（６）の移動方向に沿って伸びていると共に溝形状を有している。また、空気流取込部（１１）は、光ピックアップ装置（６）と共に移動し、空気流取込部（１１）のうち、ダクト（１０）に接続する部分は、ダクト（１０）の溝内に嵌まっており、また、光ピックアップ装置（６）の移動と共に、ダクト（１０）の溝内を移動する。
【００３３】
このように、送風装置（９）と光ピックアップ装置（６）との間にダクト（１０）および空気流取込部（１１）が介在することで、空気流が光ピックアップ装置（６）に確実に届く。そして、光ピックアップ装置（６）が移動しても、空気流取込部（１１）がダクト（１０）の溝に沿って移動するので、空気流取込部（１１）とダクト（１０）との接続は維持され、空気流が光ピックアップ装置（６）に届く効果も維持される。
【００３４】
また、請求項９に記載のように、請求項１に記載の発明は、光ピックアップ装置として捕らえることもできる。この場合、光ピックアップ装置は、対物レンズ（６４）と、対物レンズ（６４）を収容すると共に対物レンズ（６４）の位置に開口部（６２）を有するケーシング（６１、６８、６９）と、ケーシング（６１、６８、６９）の外部から内部に空気を導入すると共に、導入する空気中の塵埃を捕らえるフィルタ（７５）と、ケーシング（６１、６８、６９）の内部に収容されると共に前記対物レンズ（６４）を支持するレンズホルダ（６３）と、レンズホルダ（６３）をケーシング（６１、６８、６９）に対して移動させることで、光ディスク（４）に対する対物レンズ（６４）の位置を変化させ、その位置変化により、光ディスク（４）に対する対物レンズ（６４）のディスクアクセス位置調整駆動を実現するための駆動機構（７２、７３、８１、８２）と、を備え、また、フィルタ（７５）を介して前記ケーシング（６１、６８、６９）の内部に導入された空気を前記開口部（６２）から排出する。
【００３５】
そして、フィルタ（７５）は、レンズホルダ（６３）から見て、ディスクアクセス位置調整駆動によってレンズホルダ（６３）が移動する方向の延長線上に配置される。そして、駆動機構（７２、７３、８１、８２）は、ディスクアクセス位置調整駆動以外の駆動として、ディスクアクセス位置調整駆動の方向に、ディスクアクセス位置調整駆動の距離よりも長い距離で、レンズホルダ（６３）を移動させることで、レンズホルダ（６３）の一部（６３ａ、６３ｂ）をフィルタ（７５）に繰り返し当てる叩き駆動を実行する。このような構成によっても、上記第１の目的を達成することができる。
【００３６】
なお、上記および特許請求の範囲における括弧内の符号は、特許請求の範囲に記載された用語と後述の実施形態に記載される当該用語を例示する具体物等との対応関係を示すものである。
【発明を実施するための最良の形態】
【００３７】
（第１実施形態）
以下、本発明の第１実施形態について説明する。図１に、本実施形態に係る光ディスクドライブ装置１００の内部構成の部分断面図を概略的に示す。光ディスクドライブ装置１００は、挿入された光ディスク４中に記録されたデータの読み出し、および当該光ディスク４中へのデータの書き込みのうち、いずれか１つのみまたは両方を行うための装置である。
【００３８】
光ディスクドライブ装置１００は、図示しないドライブ筐体を備え、そのケーシングの内部に、図１に示すように、シャシ１、ターンテーブル２、スピンドルモータ３、クランパ５、光ピックアップ装置６、モータ７、リードスクリュー８、送風装置９、ダクト１０、空気流取込フィン１１、制御装置１２等を有している。
【００３９】
シャシ１は、ドライブ筐体内の各部品を保持するための部材である。ターンテーブル２の上には、ドライブ筐体内に挿入された光ディスク４が乗るようになっており、ターンテーブル２が一点鎖線で示した軸２０を中心にスピンすると、光ディスク４も同じように軸２０を中心に回転する。
【００４０】
スピンドルモータ３は、ターンテーブル２およびクランパ５を回転させるための電気モータである。クランパ５は、光ディスク４が挿入されたときに光ディスク４をターンテーブル２に押し付けるための部材である。
【００４１】
光ピックアップ装置６は、挿入された光ディスク４の記録面にアクセス（すなわち、データの読み出しおよびデータの書き込みのうちいずれか一方または両方）をするための光学装置であある。
【００４２】
モータ７は、挿入された光ディスク４の外縁の更に外側に配置され、モータ７から光ディスク４の径方向に伸びるリードスクリュー８を必要に応じて回転させる。リードスクリュー８は、光ピックアップ装置６を支持している。またリードスクリュー８は、モータ７によって回転させられると、光ピックアップ装置６を光ディスク４の径方向に搬送する。
【００４３】
送風装置９は、スピンドルモータ３の下側に設けられ、スピンドルモータ３によって駆動されることで空気流を発生し、発生した空気流を矢印２１に示すようにダクト１０に送る装置である。なお、本実施形態においては、ターンテーブル２から光ディスク４の方向が上方向であり、そのターンテーブル２からスピンドルモータ３への方向が下方向である。
【００４４】
ダクト１０は、シャシ１に直接的または間接的に固定され、送風装置９からモータ７の位置まで、リードスクリュー８に平行に（すなわち、光ピックアップ装置６の移動方向に沿って）伸びており、かつ、光ピックアップ装置６の直下を通るようになっている。そしてダクト１０は、断面がコの字となる溝形状を有している。このダクト１０は、後で詳述する通り、送風装置９からの空気流を通すような構造となっている。
【００４５】
空気流取込フィン１１は、光ピックアップ装置６の底部に固定されることで、光ピックアップ装置６と共に移動し、さらに、ダクト１０と接続かつ連通している。したがって、ダクト１０を通る空気流の一部は、光ピックアップ装置６がどの位置にあろうとも、矢印２２に示すように、ダクト１０から空気流取込フィン１１に流れ込み、光ピックアップ装置６の底部から光ピックアップ装置６内に入るようになっている。
【００４６】
制御装置１２は、あらかじめＲＯＭ等に記録されたプログラムを実行することで、送風装置９、モータ７、および光ピックアップ装置６の後述する各種作動を制御するマイコン等の電子回路である。
【００４７】
次に、光ピックアップ装置６の内部構成について説明する。図２に、光ピックアップ装置６を上側（すなわち、光ディスク４に対面する側）から見た平面図を示す。この図に示すように、光ピックアップ装置６は、内部に光ピックアップ装置６の他の部品を収容するためのピックアップ筐体６１を備えている。ピックアップ筐体６１は、その上面に長方形の開口部６２を有しており、その開口部６２には対物レンズ６４が配置され、開口部６２の直下には、対物レンズ６４を支持するレンズホルダ６３の一部が配置されている。このような構成により、ピックアップ筐体６１は、この対物レンズ６４を通じて光学的に光ディスク４にアクセスすることができる。
【００４８】
図３に、ピックアップ筐体６１の上面および側面を取り除いた場合の光ピックアップ装置６の平面図を示す。また、図４および図５に、それぞれピックアップ筐体６１を図３のＡ−Ａ線およびＢ−Ｂ線によって切断した断面図を示す。なお、図３の紙面左右方向が、リードスクリュー８による光ピックアップ装置６の移動方向に相当する。
【００４９】
この図に示す通り、光ピックアップ装置６は、ピックアップ筐体６１の内部に、更にＬＤ／ＰＤモジュール６５、波長板６６、コリメートレンズ６７、ＡＣＴベース６８、サスホルダ６９、サスワイヤ７０、７１、フォーカスコイル７２、トラッキングコイル７３、７４、フィルタ７５、マグネット８１、８２等を有している。
【００５０】
ＬＤ／ＰＤモジュール６５は、制御装置１２からの制御信号に基づいて、光ディスク４へのアクセスに用いるレーザ光を波長板６６の方向に出射し、また、波長板６６から受信したレーザ光を電気信号に変換して制御装置１２等に出力する。
【００５１】
ＬＤ／ＰＤモジュール６５から出射されたレーザ光は、波長板６６、コリメートレンズ６７、立ち上げミラー７４等の周知の光学部品を経由して対物レンズ６４に至り、対物レンズ６４から光ディスク４に向かって出射される。
【００５２】
また、光ディスク４の表面（すなわちデータが記録された記録面）から反射されてきたレーザ光は、対物レンズ６４、立ち上げミラー７４、コリメートレンズ６７、波長板６６、ＬＤ／ＰＤモジュール６５という、出射時とは逆のルートを通って再びＬＤ／ＰＤモジュール６５に到達し、そこで電気信号に変換される。
【００５３】
ＡＣＴベース６８は、ピックアップ筐体６１に密着固定された金属板から成り、マグネット８１、８２がその上面に固定されている。また、ピックアップ筐体６１には、サスホルダ６９が密着固定されている。ＡＣＴベース６８の一部、サスホルダ６９、およびピックアップ筐体６１とを組み合わせたケーシングは、開口部６２およびフィルタ７５の部分を除いて密閉構造となっている。すなわち、ＡＣＴベース６８の一部、ピックアップ筐体６１およびサスホルダ６９から成るケーシングの内部は、開口部６２とフィルタ７５のみで外部と連通する。なお、サスホルダ６９は、このケーシングの側壁の一部を構成し、ＡＣＴベース６８の一部は、このケーシングの上面の一部を構成する。
【００５４】
また、サスホルダ６９には、金属製のサスワイヤ７０、７１のそれぞれの一端が固定されている。サスワイヤ７０、７１は、水平かつサスホルダ６９に垂直かつ互いに平行に伸ている。そして、サスワイヤ７０、７１のそれぞれの他端において、レンズホルダ６３が取り付けられている。このサスワイヤ７０、７１を介して、レンズホルダ６３は、サスホルダ６９に対して移動可能でありながら、サスホルダ６９に支持される。
【００５５】
レンズホルダ６３は、２つの穴が開いた樹脂部材から成り、２つの穴のうちサスホルダ６９から遠い方の第１の穴には対物レンズ６４が埋め込まれている。また、サスホルダ６９に近い方の第２の穴は、マグネット８１、８２が貫通可能な位置に設けられている。また、この第２の穴には、フォーカスコイル７２およびトラッキングコイル７３が取り付けられている。
【００５６】
また、レンズホルダ６３のうち、第２の穴よりもサスホルダ６９に近い方の部分（以下、当接部という）６３ａは、第１の穴の周囲の部分に比べて、下に（すなわち、図３の紙面奥方向に、図４および図５の紙面下方向に）長い形状となっており、その底面は平面となっている。
【００５７】
また、ピックアップ筐体６１の底部のうち、当接部６３ａの直下に対応する部分は開口しており、その開口部にはフィルタ７５が埋め込まれている。このフィルタ７５は、空気を通過させることのできる構造となっているが、空気が通過するときに、当該空気中の塵埃を捕らえるようになっている。
【００５８】
また、ＡＣＴベース６８のうち、対物レンズ６４の直下の部分には穴が開いており、その穴に立ち上げミラー７４が設けられている。これにより、レーザ光の光路が確保される。また、ＡＣＴベース６８は、当接部６３ａの直下の部分が欠けた形状となっている。このようになっていることで、当接部６３ａの底面は、障害物なくフィルタ７５に対面する。そして、後述するとおり、当接部６３ａが下に移動した際には、当接部６３ａの底面がフィルタ７５に当接することが可能となっている。
【００５９】
次に、送風装置９およびダクト１０の構成について説明する。図６に、送風装置９およびダクト１０の平面図を示す。送風装置９は、スピンドルモータ３の回転に同期して回転する回転部９０、回転部９０から離れて回転部９０の周囲を取り囲む外殻部９１、および、回転部９０の外周の複数位置に固定された複数のフィン９２を有している。外殻部９１には、２つの切れ目があり、その切れ目の一方が外部に連通し、他方はダクト１０に接続される。
【００６０】
ダクト１０は、送風装置９からモータ７の位置まで、リードスクリュー８に平行に（すなわち、光ピックアップ装置６の移動方向に沿って）伸びており、かつ、光ピックアップ装置６の直下を通るようになっている。このダクト１０は、後で詳述する通り、送風装置９からの空気流を通すような構造となっている。
【００６１】
回転部９０がスピンドルモータ３を動力源として回転すると、回転部９０と外殻部９１との間の隙間をフィン９２が回転（具体的には周回）することで、外殻部９１の切れ目である導入口から空気流９４が導入され、さらに空気流９６としてダクト１０に送出される。そして、空気流は、ダクト１０の上に開いたコの字断面形状の溝に沿って進んでいく。
【００６２】
次に、空気流取込フィン１１について説明する。図７は、ピックアップ筐体６１に対する空気流取込フィン１１の取り付け構造を模式的に示すための断面図（断面は、図３のＣ−Ｃ断面と同じである）である。ただし、図７においては、光ピックアップ装置６のうち、ピックアップ筐体６１、レンズホルダ６３の当接部６３ａ、対物レンズ６４、およびフィルタ７５のみが示されており、他の部品の表示は省略されている。
【００６３】
また、図８は、ダクト１０と空気流取込フィン１１との接続構造を模式的に示すための図であり、光ピックアップ装置６、ダクト１０、空気流取込フィン１１のみを送風装置９側から見た図である。
【００６４】
図７、８に示すように、空気流取込フィン１１は、中空の円柱を９０°の扇形に切り取った形状を有しており、その一端がフィルタ７５の周囲に固定されている。したがって、光ピックアップ装置６の内部と空気流取込フィン１１の内部とが、フィルタ７５を介して連通する。
【００６５】
また、図８および図１に示すように、空気流取込フィン１１は、ダクト１０のコの字形状の溝に遊嵌合している。このようになっていることで、光ピックアップ装置６がリードスクリュー８の回転によって光ディスク４の径方向に移動しても、空気流取込フィン１１のダクト１０への遊嵌合は維持されつつ、空気流取込フィン１１は光ピックアップ装置６と共に移動する。つまり、ピックアップ筐体６１がリードスクリュー９に沿ってシーク動作の移動を行う際に、その移動を阻害することなく、どの位置においてもダクト１０から空気流取込フィン１１によって空気流が取り込めるようになっている。
【００６６】
また、空気流取込フィン１１の底部（すなわち、上述の円柱の外周部に相当する部分）は、フィルタ７５からダクト１０に向けて下がるスロープ形状を有している。更に、図８に示すように、ダクト１０の底面と空気流取込フィン１１のスロープ形状の下端部分との間には、隙間が設けられている。
【００６７】
次に、以上のような構成の光ディスクドライブ装置１００の作動について説明する。既述の通り、光ディスクドライブ装置１００の通常作動中は、制御装置１２がＬＤ／ＰＤモジュール６５を制御することで、ＬＤ／ＰＤモジュール６５は、波長板６６、コリメートレンズ６７、８４、対物レンズ６４を介して、光ディスク４とレーザ光のやりとりを行うことで、光ディスク４に対してアクセスする。
【００６８】
ただし、光ディスク４表面にあるピットの位置は光ディスク４の回転によって常にぶれているため、これにレーザ光を追従させるために、制御装置１２は、対物レンズ６４を上下左右に動かすサーボ制御をかける。
【００６９】
具体的には、制御装置１２は、サスホルダ６９からサスワイヤ７０、７１を経由してフォーカスコイル７２またはトラッキングコイル７３に電流を流し、さらにその電流量を調整する。このコイル７２、７３に流れる電流と、マグネット８１、８２の磁界との相互作用によって、対物レンズ６４を保持するレンズホルダ６３に駆動力が与えられ、それによってサーボ制御が実現する。
【００７０】
より具体的には、制御装置１２は、サーボ制御によって、トラッキング駆動およびフォーカス駆動をそれぞれ実現する。トラッキング制御においては、制御装置１２は、トラッキングコイル７３に流す電流を調整することで、レンズホルダ６３の、光ディスク４の径方向（すなわち、図２の紙面左右方向）の位置を調整する。フォーカス制御においては、制御装置１２は、フォーカスコイル７２に流す電流を調整することで、レンズホルダ６３の、上下（すなわち、図５の紙面上下方向）の位置を調整する。以下、このトラッキング駆動およびフォーカス駆動を総称して、ディスクアクセス位置調整駆動という。
【００７１】
また、光ディスクドライブ装置１００の通常作動中（および後述するクリーニングモード駆動中）、制御装置１２は、ターンテーブル２を回転させるために、スピンドルモータ３を回転させている。したがって、送風装置９もそれに従って空気流を発生し、発生した空気流はダクト１０に流れ込み、その一部が空気流取込フィン１１を取って、図７の矢印２５に示すように、光ピックアップ装置６に到る。
【００７２】
そして、光ピックアップ装置６に至った空気流は、フィルタ７５を介してピックアップ筐体６１内に流入する。この流入の際、空気流中の塵埃がフィルタ７５によって捕らえられる。したがって、ピックアップ筐体６１内の空気流は清浄に保たれる。
【００７３】
そして、光ピックアップ装置６のケーシングは、開口部６２およびフィルタ７５以外に外部と連通する部分はないので、ケーシング内に流入した空気は、図７の矢印２６に示すように、開口部６２のみから流出する。したがって、何らかの原因でケーシング内に塵埃が入ってしまったとしても、空気流と共に開口部６２がら外部に放出される。
【００７４】
このように、送り込まれた空気流によって上昇した光ピックアップ筐体６１内部の空気圧を、対物レンズ６４近傍の開口部６２より上方に逃がすことによって、対物レンズ６４近傍に上昇気流を生じさせ、対物レンズ６４上にも塵埃が堆積してしまうことを防止することができる。このような作動により、光ディスクドライブ装置１００の読み書き性能の劣化を防止することができる。
【００７５】
しかしながら、長時間の使用によるフィルタ７５の目詰まりによって、十分な量の空気流をピックアップ筐体６１内に送り込むことができなくなると、開口部６２からの空気流の排出が不十分となり、光ピックアップ装置６内部の光学部品および対物レンズ６４に砂塵が堆積する恐れがある。
【００７６】
このため、制御装置１２は、特定のタイミングで、フィルタ７５にたまった塵埃を除去するためのクリーニングモード駆動を実現させる。なお、特定のタイミングとしては、最後にクリーニングモード駆動を実現させて以降（あるいは出荷時以降）の光ディスクドライブ装置１００の作動時間が所定時間を越えたタイミングであってもよい。このためには、制御装置１２は、最後にクリーニングモード駆動を実現させてから光ディスクドライブ装置１００の作動時間を記録するようになっていてもよい。
【００７７】
図９に、クリーニングモード駆動によって制御装置１２が実行する処理のフローチャートを示す。クリーニングモードに入ると、まずステップ１１０で叩き駆動を実行し、続いてステップ１２０で押し当て駆動を実行する。
【００７８】
叩き駆動において、制御装置１２は、フォーカスコイル７２へ流す電流を調整することで、フォーカス駆動の場合のレンズホルダ６３の可動範囲よりもさらに下方へ、レンズホルダ６３を移動させ、当接部６３ａの底部をフィルタ７５に当てる。その後、フォーカスコイル７２へ流す電流を調整して、当接部６３ａがフィルタ７５から十分離れる位置までレンズホルダ６３を戻す。このような、当接部６３ａをフィルタ７５に当てて離すという制御を基準回数繰り返す。これによって、フィルタ７５を振動させ、フィルタ７５表面に付着・堆積した砂塵等を叩き落とす。
【００７９】
なお、基準回数は、あらかじめ記憶された一定値（例えば１０回）であってもよいし、各種条件に基づいて変動する値であってもよいし、一定の範囲内でランダムに決まる値であってもよい。例えば、光ディスクドライブ装置１００が、開口部６２から排出される単位時間当たりの風量を検出する検出装置を備えている場合、基準回数は、当該単位時間当たりの風量が小さいほど多くするようになっていてもよい。
【００８０】
また、押し当て駆動において、制御装置１２は、フォーカスコイル７２へ流す電流を調整することで、当接部６３ａの底部を基準時間だけフィルタ７５に押し当てて密着させ続ける。この基準時間は、叩き駆動において当接部６３ａの底部がフィルタ７５に接している時間よりも長い時間である。
【００８１】
このようにすることで、空気流取込フィン１１からピックアップ筐体６１内に向かう空気流を遮断する。すると、図１０に示すように、フィルタ７５から払われた砂塵が、空気流取込フィン１１の底部のスロープに沿って降下し、空気流と共に空気流取込フィン１１とダクト１０の隙間から逃げていく。したがって、叩き落された砂塵が再びフィルタ７５に付着することがない。
【００８２】
なお、基準時間は、あらかじめ記憶された一定値（例えば１０秒）であってもよいし、各種条件に基づいて変動する値であってもよいし、一定の範囲内でランダムに決まる値であってもよい。例えば、叩き駆動において基準回数が可変であった場合、基準回数が多いほど基準時間を長くするようになっていてもよい。
【００８３】
以上説明したとおり、本実施形態の光ディスクドライブ装置１００において、光ピックアップ装置６のケーシングは、フィルタ７５を介してケーシングの内部に流入した空気を開口部６２から排出する構造を有している。このように、空気流をフィルタ７５を介して光ピックアップ装置６に導入して対物レンズ６４付近から空気流を逃がすことで、光ピックアップ装置６の内部にある光学部品への塵埃の付着を防止すると共に、対物レンズ６４付近に対物レンズ６４の付着物を剥離するような気流を発生させることで、対物レンズ上にも塵埃が溜まってしまう可能性を低減することができる。
【００８４】
また、フィルタ７５は、レンズホルダ６３の当接部６３ａから見て、フォーカス駆動によってレンズホルダ６３が移動する方向の延長線上に配置される。そして制御装置１２は、ディスクアクセス位置調整駆動以外の駆動として、フォーカスコイル７２を制御することで、叩き駆動を実現させる。
【００８５】
このように、フィルタ７５にレンズホルダ６３の一部が繰り返し当たることで、フィルタ７５に付着した砂塵や異物などが払い落とされる。その結果、フィルタ７５の目詰まりの可能性が低減する。また、フォーカス駆動と同じ機構を用いて電流値を変化させるだけで、叩き駆動を実現することができるので、フィルタ７５の清掃のために専用の構成を設ける必要がなくなる。
【００８６】
また、制御装置１２は、叩き駆動の後に押し当て駆動を実行させ、押し当て駆動において、当接部６３ａをフィルタ７５に基準時間だけ押し当て続ける。このようにすることで、ケーシング内に向かう空気流が遮断され、叩き駆動により払い落とされた砂塵や異物が空気流に押されて再びフィルタ７５に付着してしまうのを回避することができる。
【００８７】
また、空気流取込フィン１１の底面は、フィルタ７５からダクト１０に向けて下がるスロープ形状を有している。このように、空気流取込フィン１１の形状が砂塵の受け皿にならないような形状となっていることで、叩き駆動により払い落とされた砂塵や異物がスロープに沿って空気流取込フィン１１の外に落ちるので、叩き落された砂塵が再びフィルタ７５に付着しないという効果が増す。
【００８８】
また、ダクト１０は上方向（すなわち、光ピックアップ装置６の方向）に開口した溝形状を有し、空気流取込フィン１１のうち、ダクト１０に接続する部分は、ダクト１０の溝内に遊嵌合しており、ダクト１０の底面と空気流取込フィン１１のスロープ形状の下端部分との間には、隙間が設けられている。
【００８９】
このようになっていることで、空気流取込フィン１１からケーシング内に向かう空気流を遮断し、空気流が空気流取込フィン１１とダクト１０の隙間から逃げていくことによって、叩き落されてスロープから下に落ちた砂塵も当該隙間から逃げていく。したがって、フィルタ７５から叩き落された砂塵が再びフィルタ７５に付着しないという効果が更に増す。
【００９０】
また、送風装置９は、上記スピンドルモータ３によって回転するフィン９２によって空気流を発生するようになっている。このように、フィン９２という、送風専用の部材の回転力で空気流を発生することで、導入する空気流の勢いを充分に確保することができる。しかも、ターンテーブル２を回転させるためのスピンドルモータ３を動力源としてフィン９２を回転させるので、フィン９２専用のモータが不要となり、その分、光ディスクドライブ装置の構成を簡易にすることができる。
【００９１】
また、ターンテーブル２を回転させるときが、光ピックアップ装置６に塵埃のたまりやすいときである。上記構成によれば、ターンテーブル２の回転中に光ピックアップ装置６内に清浄な空気流が流れ込み、ターンテーブル２の停止中には空気の流入が停止する。したがって、防塵が必要なときに限定して送風を行うという、効率的な作動が実現し、光ピックアップ装置６内を清浄化するための作動モードを別途設ける必要がなくなる。
【００９２】
また、ピックアップ筐体６１のケーシングは、開口部６２およびフィルタ７５のみにおいて、ケーシングの外部と内部とを連通させている。
【００９３】
このように、ケーシングは、開口部６２およびフィルタ７５を除いて密閉構造となっているので、フィルタ７５から空気が流入すると、ケーシング内で気圧が高くなり、開口部６２のみから空気が流出する。したがって、光ピックアップ装置内に流入した空気を効率的に対物レンズ６４付近から逃がすことができ、それによって対物レンズ６４に塵埃がたまり難くなる。
【００９４】
また、ダクト１０は、光ピックアップ装置６の移動方向に沿って伸びていると共に溝形状を有している。そして、空気流取込フィン１１は、光ピックアップ装置６と共に移動し、空気流取込フィン１１のうち、ダクト１０に接続する部分は、ダクト１０の溝内に嵌まっており、また、光ピックアップ装置６の移動と共に、ダクト１０の溝内を移動する。
【００９５】
このように、送風装置９と光ピックアップ装置６との間にダクト１０および空気流取込フィン１１が介在することで、空気流が光ピックアップ装置６に確実に届く。そして、光ピックアップ装置６が移動しても、空気流取込フィン１１がダクト１０の溝に沿って移動するので、空気流取込フィン１１とダクト１０との接続および連通は維持され、空気流が光ピックアップ装置６に届く効果も維持される。
（第２実施形態）
次に、本発明の第２実施形態について説明する。本実施形態が第１実施形態と異なるのは、光ピックアップ装置６、ダクト１０、空気流取込フィン１１の配置関係、光ピックアップ装置６の構成、ならびにクリーニングモード駆動時における光ピックアップ装置６および制御装置１２の作動である。以下、これら第１実施形態との差異点を中心に説明する。
【００９６】
なお、上記の光ピックアップ装置６、ダクト１０、空気流取込フィン１１を除いて、以下の図１１〜１５において、第１実施形態の図１〜図１０と同一の符号が付された構成要素は、互いに同一の機能を有するものであり、それらについての説明は省略する。
【００９７】
図１１に、本実施形態に係る光ディスクドライブ装置１００´のうち、光ピックアップ装置６周辺の部分についての、平面図を示す。
【００９８】
この図に示す通り、本実施形態の光ピックアップ装置６においては、フィルタ７５の位置が、光ピックアップ装置６の底部ではなく、光ピックアップ装置６の搬送方向の側部となっている。
【００９９】
また、図１１に示す通り、ダクト１０は、第１実施形態と同様、送風装置９（図示せず）から光ピックアップ装置６の搬送方向に平行に伸びている点は、第１実施形態と同じである。しかし、本実施形態のダクト１０は、第１実施形態のように光ピックアップ装置６の下部を通っているのではなく、光ピックアップ装置６の横を通っている。
【０１００】
また、本実施形態のダクト１０は、第１実施形態と同様、コの字断面の溝形状を有するが、上方向に開口しているのではなく、光ピックアップ装置６の方向、すなわち横方向に開口している。
【０１０１】
また、本実施形態の空気流取込フィン１１については、図１１に示すように、一端でダクト１０に接続および連通し、他端でフィルタ７５に連通する点は、第１実施形態と同じである。しかし、その形状が、第１実施形態と異なっている。具体的には、本実施形態の空気流取込フィン１１は、中間部分が水平かつ光ピックアップ装置６の移動方向に垂直に伸びると共に両端が同じ方向に９０°曲がった通路を形成するような構造を有している。
【０１０２】
図１２に、本実施形態の光ピックアップ装置６の内部構成を、図３と同じ形式で表す。なお、光ピックアップ装置６中では、レンズホルダ６３の構成およびフィルタ７５の位置のみが、第１実施形態の光ピックアップ装置６と異なる。
【０１０３】
この図１２に示すように、フィルタ７５は、光ピックアップ装置６の側面に設けられている。より詳しくは、レンズホルダ６３の対物レンズ６４用の穴部分から見て、光ディスク４の方向に垂直かつＬＤ／ＰＤモジュール６５の方向に垂直な方向の側面に、フィルタ７５が設けられている。
【０１０４】
また、本実施形態のレンズホルダ６３は、レンズホルダ６３の対物レンズ６４用の穴部分が、フィルタ７５の方向に出っ張っている。この出っ張りの部分（以下、当接部という）６３ｂは、フィルタ７５に当てるための部分であり、当接部６３ｂのフィルタ７５側の端面は、平面となっている。
【０１０５】
また、レンズホルダ６３のうち、フォーカスコイル７２、トラッキングコイル７３が設けられた穴は、第１実施形態よりも左右方向（すなわち、当接部６３ｂからフィルタ７５の方向およびその反対の方向）に広くなっている。これによって、レンズホルダ６３は、当該左右方向の可動範囲が増大する。
【０１０６】
次に、図１３に、レンズホルダ６３と空気流取込フィン１４を図１２のＤ−Ｄ断面で見た図を概略的に示す。また、図１４に、光ピックアップ装置６、ダクト１０、空気流取込フィン１１のみを送風装置９側から見た図を示す。
【０１０７】
図１３に示す通り、空気流取込フィン１１のフィルタ７５の近傍部分は、底部が開口したＬ字断面形状を有している。そして、図１４に示す通り、空気流取込フィン１１のダクト１０に接続する部分は、コの字断面形状を有しており、ダクト１０の溝に遊嵌合している。また、図１４に示す通り、空気流取込フィン１１の光ピックアップ装置６から最も遠い位置にある部分から、ダクト１０の光ピックアップ装置６から最も遠い位置にある部分までの間に隙間がある。したがって、送風装置９からダクト１０に送られた空気流の一部が、空気流取込フィン１１に流入し、空気流取込フィン１１からフィルタ７５を介してピックアップ筐体６１内に入り、光ピックアップ装置６の開口部６２のみから外部に排出される。したがって、ピックアップ筐体６１内および対物レンズ６４に砂塵が堆積されるのを防ぐことができる。
【０１０８】
次に、本実施形態における光ピックアップ装置６および制御装置１２の作動について説明する。光ピックアップ装置６および制御装置１２による光ディスク４へのデータのアクセスのための駆動、トラッキング駆動、フォーカス駆動の内容は、第１実施形態と同じである。
【０１０９】
また、クリーニングモード駆動の実行タイミング、および図９のフローチャートに従った処理を実行することも、第１実施形態と同じである。ただし、叩き駆動、押し当て駆動においては、制御装置１２は、フォーカスコイル７２ではなくトラッキングコイル７３へ流す電流を調整することで、レンズホルダ６３を移動させる。
【０１１０】
具体的には、叩き駆動において、制御装置１２は、トラッキングコイル７３へ流す電流を調整することで、トラッキング駆動の場合のレンズホルダ６３の可動範囲よりもさらにフィルタ７５に近づくように、レンズホルダ６３を移動させ、当接部６３ｂの端部をフィルタ７５に当てる。その後、トラッキングコイル７３へ流す電流を調整して、当接部６３ｂがフィルタ７５から十分離れる位置までレンズホルダ６３を戻す。このような、当接部６３ａをフィルタ７５に当てて離すという制御を基準回数繰り返す。これによって、フィルタ７５を振動させ、フィルタ７５表面に付着・堆積した砂塵等を叩き落とす。
【０１１１】
このように、フィルタ７５にレンズホルダ６３の一部が繰り返し当たることで、フィルタ７５に付着した砂塵や異物などが払い落とされる。その結果、フィルタ７５の目詰まりの可能性が低減する。また、トラッキング駆動と同じ機構を用いて電流値を変化させるだけで、叩き駆動を実現することができるので、フィルタ７５の清掃のために専用の構成を設ける必要がなくなる。
【０１１２】
また、叩き駆動に続く押し当て駆動において、制御装置１２は、トラッキングコイル７３へ流す電流を調整することで、当接部６３ｂの端部を基準時間だけフィルタ７５に押し当てて密着させ続ける。この基準時間は、叩き駆動において当接部６３ｂの端部がフィルタ７５に接している時間よりも長い時間である。
【０１１３】
このようにすることで、空気流取込フィン１１からピックアップ筐体６１内に向かう空気流を遮断する。すると、図１０に示すように、フィルタ７５から払われた砂塵が、空気流取込フィン１１の開口部から降下する。したがって、叩き落された砂塵が再びフィルタ７５に付着することがない。
【０１１４】
このように、空気流取込フィン１１の形状が砂塵の受け皿にならないような形状となっていることで、叩き駆動により払い落とされた砂塵や異物が開口部を通って空気流取込フィン１１の下に落ちるので、叩き落された砂塵が再びフィルタ７５に付着しないという効果が増す。
【０１１５】
（他の実施形態）
以上、本発明の実施形態について説明したが、本発明の範囲は、上記実施形態のみに限定されるものではなく、本発明の各発明特定事項の機能を実現し得る種々の形態を包含するものである。
【０１１６】
例えば、上記各実施形態において、ダクト１０の開口部にゴムひれ、セロファンレール布ひれ等が取り付けられており、それによって、ダクト１０のうち空気流取込フィン１１がない部位において、開口部が塞がれるようになっていてもよい。このようになっていれば、ダクト１０から漏れる空気量が低減し、送風装置９からの空気流がより確実に光ピックアップ装置６に届くようになる。
【０１１７】
第２実施形態において、空気流取込フィン１１は、フィルタ７５側の端部からダクト１０側の端部まで、底部が開いたＬ字断面形状を有していてもよい。このようになっていても、ピックアップ筐体６１に入る空気流の量が低下する可能性はあるものの、クリーニングモード時にフィルタ７５から払い落とされた砂塵が下に落ちてフィルタ７５に再付着しないという効果は維持される。
【０１１８】
また、上記の実施形態において、制御装置１２がプログラムを実行することで実現している各機能は、それらの機能を有するハードウェア（例えば回路構成をプログラムすることが可能なＦＰＧＡ）を用いて実現するようになっていてもよい。
【図面の簡単な説明】
【０１１９】
【図１】本発明の第１実施形態に係る光ディスクドライブ装置１００の内部構成の部分断面図である。
【図２】光ピックアップ装置６の平面図である。
【図３】ピックアップ筐体６１の上面および側面を取り除いた場合の光ピックアップ装置６の平面図である。
【図４】ピックアップ筐体６１を図３のＡ−Ａ線によって切断した断面図である。
【図５】ピックアップ筐体６１を図３のＢ−Ｂ線によって切断した断面図である。
【図６】送風装置９およびダクト１０の平面図である。
【図７】空気流取込フィン１１のピックアップ筐体６１への取り付け構造を模式的に示す断面図である。
【図８】ダクト１０と空気流取込フィン１１との接続構造を示す模式図である。
【図９】クリーニングモードの処理手順を示すフローチャートである。
【図１０】クリーニングモードにおいてレンズホルダ６３がフィルタ７５に押し当てられた状態を示す模式図である。
【図１１】本発明の第２実施形態に係る光ディスクドライブ装置１００´の内部構成の部分平面図である。
【図１２】空気流取込フィン１４のピックアップ筐体６１への取り付け構造を示す模式図である。
【図１３】ダクト１３と空気流取込フィン１４との接続構造を示す模式図である。
【図１４】ピックアップ筐体６１の上面および側面を取り除いた場合の光ピックアップ装置６の平面図である。
【図１５】クリーニングモードにおいてレンズホルダ６３がフィルタ７５に押し当てられた状態を示す模式図である。
【符号の説明】
【０１２０】
２              ターンテーブル
３              スピンドルモータ
４              光ディスク
６              光ピックアップ装置
９              送風装置
１０              ダクト
１１              空気流取込フィン
６１              ピックアップ筐体
６２              開口部
６３              レンズホルダ
６３ａ、６３ｂ    当接部
６４              対物レンズ
７２              フォーカスコイル
７３              トラッキングコイル
７５              フィルタ
９２              フィン
１００、１００´  光ディスクドライブ装置
【図１】
2009199697.tif 000003
【図２】
2009199697.tif 000004
【図３】
2009199697.tif 000005
【図４】
2009199697.tif 000006
【図５】
2009199697.tif 000007
【図６】
2009199697.tif 000008
【図７】
2009199697.tif 000009
【図８】
2009199697.tif 000010
【図９】
2009199697.tif 000011
【図１０】
2009199697.tif 000012
【図１１】
2009199697.tif 000013
【図１２】
2009199697.tif 000014
【図１３】
2009199697.tif 000015
【図１４】
2009199697.tif 000016
【図１５】
2009199697.tif 000017